(57)【要約】    【課題】  簡単な構造でタグを整列したまま取出し可能とするスタッカ装置を提供する。【解決手段】  発行された単葉のタグを底板に引き込む引込み手段と、底板に引き込まれた単葉のタグを底板に沿って移送する移送手段と、単葉のタグの移送方向の前端側に立設するストッパ手段とを備えており、ストッパ手段２は、移送手段によって移送された単葉のタグの先端が当接する背板３と、背板の下端部に設けられ、移送逆方向に突出する積載板４と、背板および積載板の一方の側面に一体に設けられ、単葉のタグの一方の側端部を規制するとともに、単葉のタグを積層する方向および移送逆方向に延伸する側壁板５と、背板を底板に対して回動可能に取り付ける回動手段と、を備え、背板、積載板および側壁板は、回動手段を介して側壁板側に回動可能である。【選択図】        図２
2011026052.tif 000002
【特許請求の範囲】
【請求項１】
発行された単葉のタグを底板に引き込む引込み手段と、
前記底板に引き込まれた単葉のタグを底板に沿って移送する移送手段と、
単葉のタグの移送方向の前端側に立設するストッパ手段とを備えたスタッカ装置において、
前記ストッパ手段は、
前記移送手段によって移送された単葉のタグの先端が当接する背板と、
前記背板の下端部に設けられ、移送逆方向に突出する積載板と、
前記背板および積載板の一方の側面に一体に設けられ、前記単葉のタグの一方の端部を規制するとともに、単葉のタグを積層する方向および移送逆方向に延伸する側壁板と、
前記背板を底板に対して回動可能に取り付ける回動手段と、を備え、
前記背板、積載板および側壁板は、前記回動手段を介して側壁板側に回動可能であることを特徴とするスタッカ装置。
【請求項２】
前記背板の下端部に設けられた積載板は、背板の側壁板側の一方の隅部が、他方の隅部に対して低くなるように傾斜させたことを特徴とする請求項１記載のスタッカ装置。
【請求項３】
前記背板には、単葉のタグを積層する方向にスリット部が設けられ、かつ、このスリット部に沿って積層された前記単葉のタグに当接する押え板が設けられることを特徴とする請求項１又は２記載のスタッカ装置。
【発明の詳細な説明】
【技術分野】
【０００１】
本発明は、ラベルプリンタなどにより印字を施されて切断された単葉のタグ等の紙片を積層するスタッカ装置に関し、特に、紙片を下面側から積層するスタッカ装置に関する。
【背景技術】
【０００２】
従来、巻回されたロール状のタグ連続体やラベル連続体に対しプリンタにて印字を施した後、カッターなどの切断装置により所望長さの単葉のタグに切断するとともに、例えば、図８に示されるようなスタッカ装置にスタック（収納）するようなことが行われている。
同図に示すスタッカ装置４０は、プリンタ５０の発行口５１の下流に設置されており、プリンタ５０にて印字・発行された単葉のタグＴを積層して収納する。
先ず、プリンタ５０につき説明すると、プリンタ５０は、ロール状に巻回したタグ連続体Ｔｏを回転可能に保持する用紙供給軸５２と、サーマルヘッド５３およびプラテンローラ（以下、適宜、単に「プラテン」と称す）５４を備える印字機構５５と、リボンＲを回転可能に装着するリボン供給軸５６、およびリボン巻取り軸５７を備えるリボン機構５８と、切断機構５９とから構成される。
そして、例えばモータなどの図示せぬ駆動源によりリボン巻取り軸５７およびプラテン５４を駆動し、サーマルヘッド５３とプラテン５４の間に挿通されたタグ連続体Ｔｏを切断機構５９側へと搬送する途中で、印字機構５５にて図示省略の印字情報を必要枚数印字するようになっており、印字後のタグ連続体Ｔｏは切断機構５９にて切断され、単葉のタグＴとして発行口５１より発行されるようになっている。
プリンタ５０の発行口５１の下流に設置されているスタッカ装置４０は、プリンタ５０にて切断された単葉のタグＴを底板（底面）４１に引き込む引込み機構４２を備えており、引込み機構４２にてスタッカ装置４０側に引き込まれたタグＴは、引込み機構４２の搬送方向Ｆ下流に配されている移送ローラ４３、４３、および移送ローラ４３、４３間に架け回されたベルト４４より成る移送手段４５の駆動により底板４１に沿ってストッパ部４６まで移送されるようになっており、タグＴは順次、タグＴの印字面とは反対の裏面側にもぐるように搬送されて底板４１に積層されるようになっている（例えば、特許文献１参照）。
ところで、スタッカ装置４０に積層されたタグＴを取出す際、順序を入れ間違える場合や、タグを落とすなどして順序をバラバラにしてしまう場合があったため、タグＴを順序良く整列させたまま容器（カートリッジ）ごと一括して取出し可能としたスタッカ用回収カートリッジが知られている（例えば、特許文献２参照）。
しかしながら、特許文献２にあっては、スタッカ装置に対し回収カートリッジを着脱自在に設けているため面倒であるばかりか、装置の大型化が避けられないため、狭い空間にプリンタとスタッカ装置を配設する店先などでのスタック（収納）には不向きであるという問題があった。
【先行技術文献】
【特許文献】
【０００３】
【特許文献１】特開２００８−１３７７４６号公報
【特許文献２】特開２００３−１０４６１７号公報
【発明の概要】
【発明が解決しようとする課題】
【０００４】
本発明は、上記の問題点に着目して成されたものであり、簡単な構造でタグを整列したまま取出し可能とするスタッカ装置を提供することを課題とする。
【課題を解決するための手段】
【０００５】
上記課題を達成するため、本発明に係るスタッカ装置は、発行された単葉のタグを底板に引き込む引込み手段と、前記底板に引き込まれた単葉のタグを底板に沿って移送する移送手段と、単葉のタグの移送方向の前端側に立設するストッパ手段とを備えたスタッカ装置において、前記ストッパ手段は、前記移送手段によって移送された単葉のタグの先端が当接する背板と、前記背板の下端部に設けられ、移送逆方向に突出する積載板と、前記背板および積載板の一方の側面に一体に設けられ、前記単葉のタグの一方の側端部を規制するとともに、単葉のタグを積層する方向および移送逆方向に延伸する側壁板と、前記背板を底板に対して回動可能に取り付ける回動手段と、を備え、前記背板、積載板および側壁板は、前記回動手段を介して側壁板側に回動可能であることを特徴とする。
また、背板の下端部に設けられた積載板を、背板の側壁板側の一方の隅部が、他方の隅部に対して低くなるように傾斜させるようにできる。
また、背板には、単葉のタグを積層する方向にスリット部が設けられ、かつ、このスリット部に沿って積層された単葉のタグに当接する押え板が設けられるようにできる。
【発明の効果】
【０００６】
本発明のスタッカ装置は、単葉のタグの移送方向の前端側に立設するストッパ手段を、移送手段によって移送された単葉のタグの先端が当接する背板と、背板の下端部に設けられ、移送逆方向に突出する積載板と、背板および積載板の一方の側面に一体に設けられ、単葉のタグの一方の側端部を規制するとともに、単葉のタグを積層する方向および移送逆方向に延伸する側壁板と、背板を底板に対して回動可能に取り付ける回動手段と、により構成し、背板、積載板および側壁板を、回動手段を介して側壁板側に回動可能としたので、側壁板上にタグが縦状態に整列され、かつ、背板の側壁板が存在しない他方の側面が上方に開放されるため、タグの取り外しが容易なものである。
また、背板の下端部に設けられた積載板を、背板の側壁板側の一方の隅部が、他方の隅部に対して低くなるように傾斜させるようにすれば載置して積層する際、タグは側壁板へ片寄り易く、以て、積載板に積層されるタグの乱れが側壁板に沿って円滑に整列され易くなる。
また、背板に、単葉のタグを積層する方向にスリット部を設け、かつ、このスリット部に沿って積層された単葉のタグに当接する押え板を設けるようにすれば、側壁板が底板に当接するまで回動してもタグは整列されたままの状態にあり、取り外しが容易となる。
【図面の簡単な説明】
【０００７】
【図１】本発明に係るスタッカ装置の一実施の形態を示す概略側面図である。
【図２】同、図１中、矢示ＩＩ方向より見たストッパ手段の概略斜視図である。
【図３】同、図１中、矢示ＩＩＩ方向より見た回動手段の拡大概略説明図である。
【図４】同、ストッパ手段を倒した状態を示す概略斜視図である。
【図５】本発明に係るスタッカ装置の他の実施の形態を示す図２相当の概略斜視図である。
【図６】同、図５中、矢示ＶＩ方向より見た概略正面説明図である。
【図７】同、ストッパ手段を倒した状態を示す図４相当の概略斜視図である。
【図８】従来のスタッカ装置を示す概略側面図である。
【発明を実施するための形態】
【０００８】
以下、本発明の一実施の形態につき、図１ないし図４に基づいて説明する。
なお、以下では、背景技術と共通する部分については同一符号を付すに止め、重複する説明は省略する。
図１は、本発明に係るスタッカ装置の一実施の形態を示す概略側面図である。同図に示すように、スタッカ装置１は、プリンタ５０の下流側に隣接して設けられており、プリンタ５０にて切断された単葉のタグＴを引込み機構４２にて発行口５１より底板４１に引き込むようになっており、引込み機構４２にてスタッカ装置４０側に引き込まれたタグＴは、引込み機構４２の移送方向Ｆ下流に配されている移送ローラ４３、４３、および移送ローラ４３、４３間に架け回されたベルト４４より成る移送手段４５の駆動により底板４１に沿ってストッパ手段としてのストッパ部２まで移送されるようになっている。
【０００９】
次に、主に、図２ないし図４に基づき、ストッパ部２を説明する。
図２は、図１中、矢示ＩＩ方向より見たストッパ部２の概略斜視図、図３は、図１中、矢示ＩＩＩ方向より見た回動手段の拡大概略説明図、図４は、図２のストッパ部２を倒した状態を示す概略斜視図である。
ストッパ部２は、タグＴの移送方向Ｆの前端側に立設されており、背板３と、積載板４と、側壁板５と、摘み部６と、回動手段７とを備える。
背板３は、タグＴの移送方向Ｆの前方において、移送方向Ｆに交差する方向（タグＴの幅方向Ｗ）に延伸して立設しており、移送手段４５により移送されてきたタグＴの前端部が当接するようになっている。また、背板３は、後述する回動手段７を介して回動するようになっている。
積載板４は、タグＴを載置して積層する板であって、前記背板３の下端部において、移送逆方向に突出して設けられており、かつ、積載板４と背板３とが織り成す形状は、側面がほぼＬ字状となっている（図１参照）。
側壁板５は、図１における奥側に対して、背板３および積載板４の手前側の一方の側面に一体に形成され、積載板４と同様、移送逆方向に突出するとともに、タグＴを積層する方向に延伸して設けられており、搬送手段４５によって移送されてきたタグＴの側面（図１における手前側の側端部）を規制するようになっている。なお、側壁板５の幅（図１における左右方向）は、前記積載板４の幅よりも広くすることが望ましい。
摘み部６は、前記背板３の上端部に固設されており、一体的に設けられた前記背板３、積載板４および側壁板５を回動する際、指で摘む部分である。
【００１０】
回動手段７は、主に、図３に示すように、底板４１に固定された固定部材８と、支持部材９と、回動軸片１０とを備えている。
支持部材９は、前記固定部材８に立設されるとともに、タグＴの積層方向に長穴１１が形成されている。
回動軸片１０は、前記背板３の裏面、すなわち、タグＴが当接する面を「表面」とした場合の「裏面」に固設されるとともに、前記長孔１１に嵌入して設けられている。
なお、回動手段７は、背板３の前記側壁板５側の下端部近辺に設けられており、前記一体的に形成された背板３、積載板４および側壁板５を図１における手前側（図３における矢示Ｂ方向）に回動するようになっている。すなわち、背板３の上端部に固設された摘み部６を指で摘んで矢示Ｂ方向に倒すと、背板３の裏面に固設された回動軸片１０が支持部材９の長孔１１に沿って摺動することにより背板３、積載板４および側壁板５が一体的に図１における手前側に回動するものであり、逆に、摘み部６を摘んで矢示Ｂ方向とは反対の、起こす方向に回動すると回動軸片１０が長孔１１に沿って摺動して背板３、積載板４および側壁板５は起きるようになっており、積載板４が底板４１に載置された状態で止まるようになっている。
【００１１】
次に、主に、図１ないし図４に基づき、本発明のスタッカ装置の使用状態を説明する。
図４は、ストッパ部２を倒した状態を示す概略斜視図である。
プリンタ５０にてタグ連続体Ｔｏに所望の印字が施され、切断機構５９で切断されて発行口５１より引込み機構４２にてスタッカ装置１に引き込まれた単葉のタグＴは、移送手段４５によってストッパ部２まで移送され、先に積層されているタグＴの下にもぐるように搬送され、かつ、背板３に当接して積載板４上に載置され積層される（図１、図２参照）。
所定枚数の印字が終了し、ストッパ部２に積層された単葉のタグＴを取出す際、背板３、積載板４および側壁板５を倒す。すなわち、背板３が底板４１に立設され、かつ、タグＴが積層された状態（図２参照）から図１における手前側（図２における矢示Ｂ方向）に、摘み部６を摘んで回動すると、背板３に固設された回動手段７の回動軸片１１が、支持部材９の長孔１１に沿って摺動しながら背板３と一体に設けられている積載板４および側壁板５ごと回動し、積載板４に積層されたタグＴの一方の側端部を側壁板５に寄せて縦に整列した状態とするとともに、側壁板５が存在しない他端側を上方に開放する（図４参照）。
タグＴの発行者は、任意位置で回動を止め、一番手前のタグＴを指で押えるとともに、立設状態にある積載板４側にタグＴを押付けながら、タグＴの縦の乱れを整列した上で、指で挟んで取り外す。
タグＴは、回動されて水平に近い状態になった側壁板５上で、かつ、積載板４側に押付けられて縦に整列されるので、取り外しが容易となる。
【００１２】
上述したように、移送手段４５によって移送された単葉のタグＴの先端が当接する背板３と、背板３の下端部に設けられ、移送逆方向に突出する積載板４と、背板３および積載板４の一方の側端部を規制するとともに、単葉のタグを積層する方向および移送逆方向に延伸する側壁板５と、背板３を底板４１に対して回動可能に取り付ける回動手段７と、によりストッパ部２を構成し、背板３、積載板４および側壁５板を、回動手段７を介して側壁板５側に回動可能としたので、側壁板５上にタグＴが縦状態に整列されるため、取り外しが容易なものである。
【００１３】
次に、図５ないし図７に基づき、他の実施の形態を説明する。
なお、以下では、背景技術および先の実施の形態と共通する部分については同一符号を付すに止め、重複する説明は省略する。
図５は、ストッパ手段を示す図２相当の概略斜視図、図６は、図５中、矢示ＶＩ方向より見た概略正面説明図、図７は、ストッパ手段を倒した状態を示す概略斜視図である。
タグＴの移送方向Ｆの前端側に立設されたストッパ手段としてのストッパ部１２は、背板１３と、積載板１４と、側壁板１５と、押え板１６と、摘み部６と、回動手段７とを備える。
背板１３には、幅方向Ｗのほぼ中央に、タグＴの積層方向に沿ってスリット部１７が形成されている。また、背板１３の下端部の幅方向Ｗの一方の隅部１３ａ（図５、図６における左下端部）は、他方の隅部１３ｂに対して低くなるように傾斜させている。さらに、背板１３裏面の隅部１３ａ側近辺には、前記回動手段７の回動軸片１０が固設されている。
積載板１４は、前記背板１３の下端部において、移送逆方向に突出して設けられている。すなわち、一方の隅部１３ａが、他方の隅部１３ｂに対して低くなるように傾斜させて形成された前記背板１３の下端部に突き合せるように設けた積載板１４は、図１における奥側から手前側にかけて緩い傾斜状態を呈するようになっている（図６参照）。
側壁板１５は、背板１３および積載板１４の、図１における手前側の側面に一体に形成され、積載板１４と同様、移送逆方向に突出するとともに、タグＴを積層する方向に延伸して設けられている。
押え板１６は、前記背板１３のスリット部１７に沿って、タグＴの積層方向に移動可能とされており、かつ、ネジなどの既知の手段により任意の位置で固定可能とされている。
プリンタ５０の発行口５１より引き込まれた単葉のタグＴは、移送手段４５によってストッパ部１２まで移送され、背板１３に当接して積載板１４上に載置され積層される（図６参照）。
このとき、積載板１４が背板１３の一方の隅部１３ａに向けて緩い傾斜状となっているため、側壁板１５へ片寄り易く、以て、積載板１４に積層されるタグＴの乱れが側壁板１５に沿って円滑に整列されるものである。
【００１４】
ストッパ部１２に積層された単葉のタグＴを取出す際、先ず、押え板１６を背板１３のスリット部１７に沿って移動し、積載板１４上に積層されているタグＴの上面に当接させて固定する。
次いで、摘み部６を指で摘んで図６における矢示Ｂ方向に回動すると、一体的に設けられている背板１３、積載板１４および側壁板１５は、回動手段７を介して回動され、側壁板１５が存在しない他方の隅部１３ｂ側を上方に開放する（図７参照）。
ストッパ部１２の回動は、側壁板１５が底板４１に当接するか、あるいは、回動手段７の回動軸片１０が支持部材９の長孔１１の上端部に当接すると停止する。
本実施の形態のストッパ部１２は、押え板１６を備えており、積層されたタグＴを押え板１６と積載板１４との間で挟みこんだ状態で回動するため、先の実施の形態のストッパ部２のように、任意位置で回動を止めて指で積載板４側にタグＴを押付ける必要がなく、かつ、側壁板１４が底板４１に当接するまで回動してもタグＴは整列されたままの状態にあり、かつ、タグＴの一端部が発行者に対し大きく開放されるので、タグＴの取り外しが容易なものである。
その他の構成、作用、効果については、先の実施の形態とほぼ同様につき詳説を省略する。
【００１５】
なお、上記実施の形態の構成及び動作は例であって、本発明の趣旨を逸脱しない範囲で適宜変更することができることは言うまでもない。
【符号の説明】
【００１６】
Ｔｏ  タグ連続体
Ｔ    単葉のタグ
Ｒ    リボン
Ｆ    搬送方向
Ｗ    幅方向
１    スタッカ装置
２    ストッパ手段（ストッパ部）
３    背板
４    積載板
５    側壁板
６    摘み部
７    回動手段
８    固定部材
９    支持部材
１０  回動軸片
１１  長孔
１２  ストッパ部
１３  背板
１４  積載板
１５  側壁板
１６  押え板
１７  スリット部
４０  スタッカ装置（従来例）
４１  底板
４２  引込み機構
４３  移送ローラ
４４  ベルト
４５  移送手段
４６  ストッパ部
５０  プリンタ
５１  発行口
５２  用紙供給軸
５３  サーマルヘッド
５４  プラテンローラ（プラテン）
５５  印字機構
５６  リボン供給軸
５７  リボン巻取り軸
５８  リボン機構
５９  切断機構
【図１】
2011026052.tif 000003
【図２】
2011026052.tif 000004
【図３】
2011026052.tif 000005
【図４】
2011026052.tif 000006
【図５】
2011026052.tif 000007
【図６】
2011026052.tif 000008
【図７】
2011026052.tif 000009
【図８】
2011026052.tif 000010